(57)【要約】【課題】生け花を花器に安定して固定でき、風雨または振動、並びに器具の出し入れの操作による花器の損傷を防ぐことができる安価な生け花の固定器具を提供する。【解決手段】  略Ｌ字型に曲げられた金属板１の下部に、底面が平坦な台座２が載置されて取付けられ、該台座上面には複数の針３がその先端部を上方に向けて立設されて台座と共に剣山をなし、前記金属板の上端部が外側に向けて略Ｕ字型に曲げられたフック４を形成していることを特徴とする生け花の固定器具で、該フック４を花器の口縁部に掛けて固定することで、剣山に挿した生け花を固定する。また、前記フック４の外側下端から、屈曲自在の鎖５を介してくさび状のスペーサ６が取付けられており、該スペーサ６を用いて花器自体をも固定する。【選択図】図１
0003126770.tif 000002
【実用新案登録請求の範囲】
【請求項１】
略Ｌ字型に曲げられた金属板の下部に、底面が平坦な台座が載置されて取付けられ、該台座上面には複数の針がその先端部を上方に向けて立設されて台座と共に剣山をなし、前記金属板の上端部が外側に向けて略Ｕ字型に曲げられたフックを形成していることを特徴とする生け花の固定器具。
【請求項２】
略Ｕ字型に曲げられたフックが、下方に向けて徐々にその幅を狭められていて、外側下端が外側に曲げられていることを特徴とする請求項１に記載の生け花の固定器具。
【請求項３】
フックの外側下端から、屈曲自在の鎖を介してくさび状のスペーサが取付けられたことを特徴とする請求項１または請求項２に記載の生け花の固定器具。
【請求項４】
くさび状のスペーサの一面が、鎖との接続端から先端に向けて複数の段差を持つ階段状構造に成形されていることを特徴とする、請求項３に記載の生け花の固定器具。
【考案の詳細な説明】
【技術分野】
【０００１】
本考案は、生け花を花器に固定する器具に関する。
【背景技術】
【０００２】
草木の枝，葉または花を花器に生ける際、その生け花を固定するために、剣山が用いられる。しかし、一般的な剣山は、平坦な台座上に複数の針を設けただけの構造であり、水盤等の広口花器でしか使用できない。円筒形花器を初めとする口の狭い深い花器の場合には、花器を損傷せずに剣山を出し入れすることが容易でないし、剣山の底部面積の小さい割に生け花の重心が高く、生け花を安定した状態で固定することは極めて困難である。特に墓の供花の場合、円筒形花器（花立てともいう）が用いられることが多いが、屋外の強い風雨や振動にさらされ、見栄え良く安定して生け花を固定し続けることが難しい。
【０００３】
花器に、生け花を固定するための発明や考案は多く開示されている。特許文献１には、口が広く、且つ深い花生け容器に対する、花立て専門用具が開示されている。上部の花の差し入れ口部分と、下部の底部分とを柱で連結した構造のものである。
特許文献２には、花や花木が倒れることのないよう安定した固定が行える剣山が開示されている。剣山のベース部における中央にナットを埋設し、下端に螺軸を突設した支柱をナットにねじ込んで該支柱を剣山上に立設したものである。花や花木の幹や茎を支柱に針金等で固定することによって、振動が加わった場合または花器を移動する場合に、刺した花や花木が倒れるのを防ぐことができるとされる。
【０００４】
一方、花器が傷付いたり破損したりすることなく使用できる深花器平盤花器兼用剣山が開示されている（例えば、特許文献３参照）。剣山の台座の周縁部に止具を設け、一端に掛金を設けた所望長の鎖のもう一端に取付金具を設けた剣山取付治具を、前記止具に取付金具を取付けて脱着自在としたものである。深花器に用いる場合には掛金を花器の開口縁部に掛けて取付け、平盤花器に対しては剣山取付治具を外して使用できるとされる。
【０００５】
【特許文献１】特開２００２−３４５３３６号公報
【特許文献２】特開平８−２２８９００号公報
【特許文献３】特開２００２−１７５３５号公報
【考案の開示】
【考案が解決しようとする課題】
【０００６】
しかしながら、上記特許文献１に記載される花立て具は、生け花を固定するために内壁と内底表面に凹凸を付しただけの構造であり、風雨や振動の中では、生け花を安定に固定することはできない。また、該花立て具が花器に対して固定されていないため、該花立て具と共に生け花が動いてしまう恐れもある。更には、花器内で該花立て具自体が回転したり転倒したりすることで、花器を傷付けたり破損せしめる恐れもある。特に、墓地など屋外においては屋内よりも強い風雨や振動にさらされるが、該花立て具は到底それに耐えることはできず、花器を損傷する可能性が高い。また、製作が複雑なために、多額の製造費用を必要とする。
【０００７】
特許文献２に記載の剣山は、針金等で生け花を支柱に固定することで、生け花と剣山との固定は達成されるものの、その固定の操作が煩雑であり実用に堪えない。また、生け花を固定した剣山を、花器に対して安定に固定することはできない。振動や風雨によって生け花が振動・回転し、それに伴って剣山が花器内壁に当って花器を損傷する恐れがある。
【０００８】
特許文献３に記載される剣山は、掛金を用いて花器と接合せしめる旨の記載があるが、掛金を開口縁部に掛けておくことで、剣山の出し入れに際して持ち手となる鎖が花器内に没入するのを防ぐことはできるが、該掛金は剣山の固定に寄与しない。風雨や振動を受けると、剣山と共に生け花が動いてしまう恐れがある。また、剣山の出し入れには鎖を持って吊り上げる必要があり、意図せず剣山を花器内壁に当て、花器を損傷する恐れがある。また、生け花が風雨や振動を受け、それに伴って剣山が花器内壁に当って花器を損傷する恐れがある。
【０００９】
更に、上記何れの発明または考案も、屋外での使用を想定していない。墓地を初めとする屋外においては、花器より一回り内径の大きな、花器用穴が設けられているのが一般的である。花器または生け花が風雨や振動を受け、花器ごと回転または揺動して、花器が花器用穴と接触し損傷する恐れがある。
本考案はこれらの問題点を解決することを課題とする。すなわち、生け花を安定して固定でき、風雨または振動、並びに器具の出し入れの操作による花器の損傷を防ぐことができる安価な生け花の固定器具を提供することである。
【課題を解決するための手段】
【００１０】
上記課題を解決するために、本考案の請求項１記載の固定器具は、略Ｌ字型に曲げられた金属板の下部に、底面が平坦な台座が載置されて取付けられ、該台座上面には複数の針がその先端部を上方に向けて立設されて台座と共に剣山をなし、前記金属板の上端部が外側に向けて略Ｕ字型に曲げられたフックを形成していることを特徴としている。
略Ｌ字型に曲げられた金属板の下部を花器に入れ、該金属板上端部の略Ｕ字型フックを花器の口縁部に挟み掛ける様にして固定する。生け花は、本考案を花器に固定する前または固定した後に、本考案の剣山に刺す。
【００１１】
本考案の請求項２記載の固定器具は、請求項１に記載の固定器具であって、略Ｕ字型に曲げられたフックが、下方に向けて徐々にその幅を狭められていて、外側下端が外側に曲げられていることを特徴としている。下記の口縁部に着脱自在に挟着し、下端に鎖の一端を止着し易いようにするためである。
【００１２】
本考案の請求項３記載の固定器具は、請求項１または請求項２に記載の固定器具であって、フックの外側下端から、屈曲自在の鎖を介してくさび状のスペーサが取付けられたことを特徴としている。
花器と花器用穴との隙間に、くさび状のスペーサを挿すことにより花器を固定し、風雨や振動による花器の揺動を無くし、安定した状態で支持できるようにするためである。
【００１３】
本考案の請求項４記載の固定器具は、請求項３に記載の固定器具であって、くさび状のスペーサの一面が、鎖との接続端から先端に向けて複数の段差を持つ階段状に成形されていることを特徴としている。挿したスペーサが容易に脱落しないようにするためである。
【考案の効果】
【００１４】
本考案の請求項１記載の固定器具は、そのフックを花器の口縁部に挟み掛けすることで、花器にしっかりと固定される。本考案の剣山に生け花を刺すことで、安定した状態で生け花が花器に対して固定され、風雨や振動によって生け花が回転または揺動することを防ぐことが可能である。
【００１５】
また、花器内に入る部分は剛性を有するため、本考案を花器に出し入れする際、花器内壁に意図せず当ててしまうことを回避でき、花器の損傷を防ぐことができる。
【００１６】
本考案の請求項２に記載の固定器具は、略Ｕ字型に曲げられたフックが、下方に向けて徐々にその幅を狭められていて、スプリング力で花器の口縁部を挟持するから、花器の口縁部をしっかりと把持することができる。更に、該フックの外側下端が外側へ曲げられていることから、容易に花器に着脱できると共に、鎖の一端を止着してスペーサを具備するのに好都合となる。
【００１７】
本考案の請求項３記載の固定器具は、花器用穴に花器を入れて用いる場合、花器と花器用穴の隙間にくさび状スペーサを挿すことで、花器を固定することができる。これによって、風雨や振動のために花器が回転または揺動することを防ぎ、花器の損傷を回避できる。特に、墓地等の、強い風雨や振動にさらされる屋外における損傷防止に有効である。また、花器に固定された生け花をも、より安定に固定することが可能となる。
【００１８】
請求項４に記載の固定器具は、くさび状スペーサの１つのテーパー面が階段状となっていることから、花器と花器用穴との間の隙間に滑ることなく固定され、振動や風雨を受けても容易に外れない。したがって、花器を花器用穴に、より安定に固定できる。
【００１９】
本考案の固定器具は上記の効果を奏するが、請求項１〜請求項４の何れの態様においても、器具自体の構造が簡素で安価に製造できる。
【考案を実施するための最良の形態】
【００２０】
以下に、本考案を実施するための最良の形態を、実施例を示す図面を参照して詳細に説明する。尚、本実施例に、本考案は限定されるものではない。
【実施例１】
【００２１】
図１は、本考案の固定器具の実施例を示す全体斜視図である。図２は、本考案に生け花を刺した状態を表す側面図である。図３は、本考案を利用して生け花を花器に固定し、且つ花器を花器用穴に入れて固定した状態を示す縦断面図である。
【００２２】
本考案に係る固定器具は、図１に示す様に、略Ｌ字型に曲げられた金属板１の下部に、底面が平坦な台座２が載置されて取付けられ、該台座上面には複数の針３，・・・がその先端部を上方に向けて立設されて台座と共に剣山をなし、前記金属板１の上端部が外側に向け略Ｕ字型に曲げられフック４を形成していることを特徴としている。
【００２３】
金属板１は、厚さ１ｍｍ程度で、容易に変形せず耐食性のある例えばステンレス鋼板を利用し、下部の延出長さは花器の内径に合わせ、下部から上方への立上り長さは花器の深さに合わせて製作する。材質は、ステンレス鋼板の他、鉄板または真ちゅう板が好適に用いられるが、耐食性を良くするためメッキ等の表面処理を施した方が良い。
【００２４】
台座２は、浮力を受けて浮き上がるのを避け、且つさびるのを防ぐために、鉄または真ちゅう等の比重の大きな金属製で、表面がメッキ処理されているものが望ましい。剣山に適した形状であれば限定されるものではなく、その底面は平坦で円状，円弧状または長方形状に成形されていればよい。
【００２５】
針３は、水中に浸漬されて用いられることから、さび難い材質が好ましく、例えば、鉄または真ちゅうで表面がメッキ処理されたもの、並びにステンレスが好適に用いられる。
【００２６】
また、針３は、台座２と共に剣山をなすが、市販の台座付きの剣山をそのまま用いても良い。水に触れることから、耐食性またはメッキ処理が必要となる。プラスチック製の剣山を用いることも可能であるが、剛性と耐久性の高い金属製のものが好適に用いられる。
【００２７】
金属板１の上端部は、花器の上端高さに合う位置で、外側に向けて略Ｕ字型に曲げられ、フック４を形成している。フック４は、そのスプリング力により、花器の口縁部を挟持して把持するように形成されている。また、外側下端は、着脱し易いように外側へ曲げられている。
【００２８】
フック４の下端には、係止部材５ａが止着され、それを介してボールチェーン状の鎖５の一端が取付けられている。鎖５は、必ずしも係止部材５ａによってフック４と結合されている必要はなく、フックやスナップ等の各種金具によって結合されていても良く、フック４に溶接または嵌入されていても良い。
【００２９】
また、鎖５は、屈曲自在のものであれば良く、ボールチェーンの他、リングチェーン，ボックスチェーン他の鎖類が好適に用いられる。アクセサリー等で使用される、市販品を用いても良い。鎖類の他、柔軟なワイヤロープ，糸，ゴム紐等の紐状物を代用することもできる。
【００３０】
鎖５の他端には、くさび状のスペーサ６が結合されている。鎖５とスペーサ６との結合には、係止部材５ｂ、リング部材５ｃが好適に用いられるが、これらの部材に限定されるものではない。
【００３１】
スペーサ６の材質は、使用に際して花器を傷付けないものであれば良く、弾力性のある合成ゴム等が好適に用いられる。先細くテーパー状に製作するが、１つまたは２つのテーパー面に凹凸６ａを付けても良い。スペーサ６が係止され易い様、１つのテーパー面が、鎖５との接続端から先端に向けて複数の段差を持つ階段状構造に成形し、滑りにくくすることが望ましい。
【実施例２】
【００３２】
次いで、本考案の固定器具の使用例を、図２及び図３に基づいて説明する。
【００３３】
金属板１は、その上部のフック４を花器７の口縁部７ａに掛けて挟持することによって、花器７に固定されている。金属板１下部に載置された剣山に生け花８が刺されており、これによって生け花８が花器７に固定されている。
【００３４】
スペーサ６は、花器７と墓石等の花器用穴９との間の隙間に挿入され、それによって花器７自体も固定されている。花器７がしっかりと固定され、その花器７に対して生け花８が固定されているのであるから、生け花８はより安定に固定されている。花器７に装飾が施されている場合、屋外の強い風雨や振動に対しても、常に望む向きに固定することができ、美観を保つことができる。フック４を花器の背部に取付けると、本考案を生け花８の陰に隠すことができ、見栄えが良い。
鎖５は屈曲自在であるから、花器７の任意高さと花器用穴９の任意深さに対応できる。また、スペーサ６が、鎖５によって連結されているから、スペーサ６の遺失を防止できる。
【図面の簡単な説明】
【００３５】
【図１】本考案の実施例を示す斜視図である。
【図２】生け花を刺した状態の実施例を示す側面図である。
【図３】生け花を刺した状態で花器に挿着し、花器用穴に固定した状態の実施例を示す縦断面図である。
【符号の説明】
【００３６】
１  金属板
２  台座
３  針
４  フック
５  鎖
５ａ，５ｂ  係止部材
５ｃ  リング部材
６  スペーサ
６ａ  凹凸
７  花器
７ａ  口縁部
８  生け花
９  花器用穴
【図１】
0003126770.tif 000003
【図２】
0003126770.tif 000004
【図３】
0003126770.tif 000005